(57)【特許請求の範囲】
【請求項１】
ブルートゥース主回路（１１０）と、選択的に傍受モードまたは間接受信モードで動作可能なブルートゥース副回路（１２０）と、を含み、遠隔ブルートゥース装置（１０２）とデータ伝送を行うマルチ構成要員型ブルートゥース装置（１００）であって、
前記ブルートゥース主回路（１１０）は、
第１ブルートゥース通信回路（１１１）と、前記第１ブルートゥース通信回路（１１１）にて受信されたパケットを分析する第１パケット分析回路（１１３）と、前記第１ブルートゥース通信回路（１１１）および前記第１パケット分析回路（１１３）と結合的に接続している第１制御回路（１１７）と、を含み、
前記ブルートゥース副回路（１２０）は、
第２ブルートゥース通信回路（１２１）と、前記第２ブルートゥース通信回路（１２１）にて受信されたパケットを分析する第２パケット分析回路（１２３）と、前記第２ブルートゥース通信回路（１２１）および前記第２パケット分析回路（１２３）と結合的に接続している第２制御回路（１２７）と、を含み、
前記ブルートゥース副回路（１２０）が前記傍受モードで動作する期間中、
前記第１制御回路（１１７）は、前記遠隔ブルートゥース装置（１０２）から送信されてくるパケットを前記第１ブルートゥース通信回路（１１１）にて受信し、前記第２制御回路（１２７）は、前記遠隔ブルートゥース装置（１０２）から送信されてくるパケットを前記第２ブルートゥース通信回路（１２１）にて傍受し、
前記ブルートゥース副回路（１２０）が傍受したパケットのデータスループット量が所定の臨界値を下回っている場合、前記ブルートゥース副回路（１２０）は、前記傍受モードから前記間接受信モードに切り替わり、
前記ブルートゥース副回路（１２０）が前記間接受信モードで動作する期間中、
前記第２制御回路（１２７）は、前記遠隔ブルートゥース装置（１０２）から送信されてくるパケットを前記第２ブルートゥース通信回路（１２１）にて傍受する処理をせず、前記第１制御回路（１１７）は、前記遠隔ブルートゥース装置（１０２）から送信されてくるパケットを前記第１ブルートゥース通信回路（１１１）にて受信するとともに、受信したパケットを前記第１ブルートゥース通信回路（１１１）にて前記ブルートゥース副回路（１２０）に転送し、前記第２制御回路（１２７）は、前記第１ブルートゥース通信回路（１１１）から転送されてくるパケットを前記第２ブルートゥース通信回路（１２１）にて受信する、
マルチ構成要員型ブルートゥース装置（１００）。
【請求項２】
前記第１制御回路（１１７）および前記第２制御回路（１２７）の何れか一方が、前記データスループット量を計算し、
前記第１制御回路（１１７）および前記第２制御回路（１２７）の何れか一方が、前記データスループット量を前記所定の臨界値と比較する、
請求項１に記載のマルチ構成要員型ブルートゥース装置（１００）。
【請求項３】
前記第２制御回路（１２７）は、前記データスループット量を計算し、算出した前記データスループット量を前記所定の臨界値と比較し、
前記データスループット量が前記所定の臨界値を下回っている場合、前記第２制御回路（１２７）は、前記ブルートゥース副回路（１２０）における前記傍受モードから前記間接受信モードへの切り替えの許可を前記ブルートゥース主回路（１１０）に要求するモード切替要求を、前記第２ブルートゥース通信回路（１２１）を介して前記第１ブルートゥース通信回路（１１１）に伝送する、
請求項２に記載のマルチ構成要員型ブルートゥース装置（１００）。
【請求項４】
前記第２制御回路（１２７）は、前記データスループット量を計算し、算出した前記データスループット量を、前記第２ブルートゥース通信回路（１２１）を介して前記第１ブルートゥース通信回路（１１１）に伝送し、前記第１制御回路（１１７）は、前記データスループット量を前記所定の臨界値と比較し、
前記データスループット量が前記所定の臨界値を下回っている場合、前記第１制御回路（１１７）は、前記ブルートゥース副回路（１２０）に対して前記傍受モードから前記間接受信モードに切り替えさせるように指示するためのモード切替指示を、前記第１ブルートゥース通信回路（１１１）を介して前記第２ブルートゥース通信回路（１２１）に伝送する、
請求項２に記載のマルチ構成要員型ブルートゥース装置（１００）。
【請求項５】
前記ブルートゥース副回路（１２０）が前記傍受モードで動作する期間中、
前記第１制御回路（１１７）は、前記遠隔ブルートゥース装置（１０２）から送信されたにもかかわらず前記第２ブルートゥース通信回路（１２１）によって取り漏らされたパケットを、前記第１ブルートゥース通信回路（１１１）を介して前記第２ブルートゥース通信回路（１２１）に伝送する、
請求項２に記載のマルチ構成要員型ブルートゥース装置（１００）。
【請求項６】
前記ブルートゥース副回路（１２０）が前記傍受モードで動作する期間中、
前記第１制御回路（１１７）は、取り漏らされたパケットを前記第１ブルートゥース通信回路（１１１）にて第２ブルートゥース通信回路（１２１）に伝送した頻度に基づき、前記データスループット量を計算し、算出した前記データスループット量を前記所定の臨界値と比較し、
前記データスループット量が前記所定の臨界値を下回っている場合、前記第１制御回路（１１７）は、前記ブルートゥース副回路（１２０）に対して前記傍受モードから前記間接受信モードに切り替えさせるように指示するためのモード切替指示を、前記第１ブルートゥース通信回路（１１１）を介して前記第２ブルートゥース通信回路（１２１）に伝送する、
請求項５に記載のマルチ構成要員型ブルートゥース装置（１００）。
【請求項７】
前記ブルートゥース副回路（１２０）が前記傍受モードで動作する期間中、
前記第１制御回路（１１７）は、取り漏らされたパケットを前記第１ブルートゥース通信回路（１１１）にて第２ブルートゥース通信回路（１２１）に伝送した頻度に基づき、前記データスループット量を計算し、算出した前記データスループット量を、前記第１ブルートゥース通信回路（１１１）を介して前記第２ブルートゥース通信回路（１２１）に伝送し、前記第２制御回路（１２７）は、前記データスループット量を前記所定の臨界値と比較し、
前記データスループット量が前記所定の臨界値を下回っている場合、前記第２制御回路（１２７）は、前記ブルートゥース副回路（１２０）における前記傍受モードから前記間接受信モードへの切り替えの許可を前記ブルートゥース主回路（１１０）に要求するモード切替要求を、前記第２ブルートゥース通信回路（１２１）を介して前記第１ブルートゥース通信回路（１１１）に伝送する、
請求項５に記載のマルチ構成要員型ブルートゥース装置（１００）。
【発明の詳細な説明】
【技術分野】
【０００１】
本発明はブルートゥース（登録商標）技術に関する。特に、動作モードを動的に切り替え可能なマルチ構成要員型ブルートゥース装置に関する。
【背景技術】
【０００２】
マルチ構成要員（multi-member）型ブルートゥース装置とは、互いに協働する複数のブルートゥース回路からなるブルートゥース装置、例えば、ペアとなっているブルートゥースイヤホン、ワンセットとなっているブルートゥーススピーカー等を指す。マルチ構成要員型ブルートゥース装置が他のブルートゥース装置（以下、遠隔ブルートゥース装置と称する）と接続を立ち上げるとき、遠隔ブルートゥース装置は、マルチ構成要員型ブルートゥース装置を１つの単独のブルートゥース装置と見做して扱う。伝統的なマルチ構成要員型ブルートゥース装置は動作時に、自装置中の１つの構成要員回路を、遠隔ブルートゥース装置と双方向データ伝送を行うブルートゥース主回路として指定し、他の構成要員回路をブルートゥース副回路として指定することになる。
【０００３】
しかし、ブルートゥース通信の無線信号環境は、経時的に変化し、または、ユーザの姿勢や使用習慣に影響されて変化することがある。その時のブルートゥース通信環境の状況に応じてブルートゥース主回路またはブルートゥース副回路の間の協働動作を動的に調整できなければ、マルチ構成要員型ブルートゥース装置全体上の動作能率が低下し、待機可能期間が減少しやすくなる。
【発明の概要】
【発明が解決しようとする課題】
【０００４】
上記の問題に鑑み、マルチ構成要員型ブルートゥース装置全体上の動作能率に対する、ブルートゥース無線信号環境の変化による影響を如何に低減させることは、切実に解決するべき問題となっている。
【０００５】
一実施例として、本願は、ブルートゥース主回路と、選択的に傍受モードまたは間接受信モードで動作可能なブルートゥース副回路と、を含み、遠隔ブルートゥース装置とデータ伝送を行うマルチ構成要員型ブルートゥース装置を提供する。該マルチ構成要員型ブルートゥース装置において、前記ブルートゥース主回路は、第１ブルートゥース通信回路と、前記第１ブルートゥース通信回路にて受信されたパケットを分析する第１パケット分析回路と、前記第１ブルートゥース通信回路および前記第１パケット分析回路と結合的に接続している第１制御回路と、を含む。前記ブルートゥース副回路は、第２ブルートゥース通信回路と、前記第２ブルートゥース通信回路にて受信されたパケットを分析する第２パケット分析回路と、前記第２ブルートゥース通信回路および前記第２パケット分析回路と結合的に接続している第２制御回路と、を含む。前記ブルートゥース副回路が前記傍受モードで動作する期間中、前記第１制御回路は、前記遠隔ブルートゥース装置から送信されてくるパケットを前記第１ブルートゥース通信回路にて受信し、前記第２制御回路は、前記遠隔ブルートゥース装置から送信されてくるパケットを前記第２ブルートゥース通信回路にて傍受し、前記ブルートゥース副回路が傍受したパケットのデータスループット量が所定の臨界値を下回っている場合、前記ブルートゥース副回路は、前記傍受モードから前記間接受信モードに切り替わり、前記ブルートゥース副回路が前記間接受信モードで動作する期間中、前記第２制御回路は、前記遠隔ブルートゥース装置から送信されてくるパケットを前記第２ブルートゥース通信回路にて傍受する処理をせず、前記第１制御回路は、前記遠隔ブルートゥース装置から送信されてくるパケットを前記第１ブルートゥース通信回路にて受信するとともに、受信したパケットを前記第１ブルートゥース通信回路にて前記ブルートゥース副回路に転送し、前記第２制御回路は、前記第１ブルートゥース通信回路から転送されてくるパケットを前記第２ブルートゥース通信回路にて受信する。
【０００６】
前記の実施例によれば、マルチ構成要員型ブルートゥース装置は、その時のブルートゥース通信環境の状況に適応できるよう、ブルートゥース副回路によって傍受されたパケットのデータスループット量に基づいてブルートゥース副回路の動作モードを動的に調整することができる、という一利点を有する。
【０００７】
また、前記の実施例によれば、ブルートゥース副回路またはブルートゥース主回路が理想的でない方式で動作することを避けることができ、マルチ構成要員型ブルートゥース装置全体上の動作能率を高め、および／または、待機可能期間を延長することができる、という別の利点を有する。
【０００８】
また、前記の実施例によれば、ブルートゥース主回路またはブルートゥース副回路の使用寿命を延長させ、および／または、ブルートゥース副回路またはブルートゥース主回路のユーザ体験を改善することができる、という更なる一利点を有する。
【０００９】
本発明のその他の利点は、以下の説明および図面に参照しつつ、より詳細に述べていく。
【図面の簡単な説明】
【００１０】
【図１】本発明の一実施例に係るマルチ構成要員型ブルートゥース装置の簡略化機能ブロック図である。
【図２】本発明に係るマルチ構成要員型ブルートゥース装置の、第１実施例における動作態様の簡略化フローチャートである。
【図３】本発明に係るマルチ構成要員型ブルートゥース装置の、第１実施例における動作態様の簡略化フローチャートである。
【図４】本発明に係るマルチ構成要員型ブルートゥース装置の、第２実施例における動作態様の一部の簡略化フローチャートである。
【図５】本発明に係るマルチ構成要員型ブルートゥース装置の、第３実施例における動作態様の一部の簡略化フローチャートである。
【図６】本発明に係るマルチ構成要員型ブルートゥース装置の、第４実施例における動作態様の一部の簡略化フローチャートである。
【図７】本発明に係るマルチ構成要員型ブルートゥース装置の、第５実施例における動作態様の簡略化フローチャートである。
【図８】本発明に係るマルチ構成要員型ブルートゥース装置の、第５実施例における動作態様の簡略化フローチャートである。
【図９】本発明に係るマルチ構成要員型ブルートゥース装置の、第６実施例における動作態様の簡略化フローチャートである。
【図１０】本発明に係るマルチ構成要員型ブルートゥース装置の、第６実施例における動作態様の簡略化フローチャートである。
【発明を実施するための形態】
【００１１】
以下、関連する図面を参照しつつ、本発明の実施例を説明する。なお、図中、同様また類似の部材もしくは方法ステップは同一符号で示す。
【００１２】
図１は、本発明の一実施例におけるマルチ構成要員型ブルートゥース装置１００の簡略化機能ブロック図である。マルチ構成要員型ブルートゥース装置１００は、遠隔ブルートゥース装置１０２とデータ伝送を行い、複数の構成要員回路（member circuit）を含む。なお、説明の便宜上、図１の実施例では、３つの構成要員回路、すなわち、第１ブルートゥース回路１１０、第２ブルートゥース回路１２０、および第３ブルートゥース回路１３０のみを図示している。
【００１３】
本実施例において、マルチ構成要員型ブルートゥース装置１００における全ての構成要員回路は共に類似のメイン回路構成を有するが、それぞれの構成要員回路中に異なる追加回路素子を設けてもよく、全ての構成要員回路の回路構成が完全に同様であるということに限定されない。例えば、図１に示すように、第１ブルートゥース回路１１０は、第１ブルートゥース通信回路１１１、第１パケット分析回路１１３、第１クロック同期回路１１５、および第１制御回路１１７を含む。これと同様に、第２ブルートゥース回路１２０は、第２ブルートゥース通信回路１２１、第２パケット分析回路１２３、第２クロック同期回路１２５、および第２制御回路１２７を含む。
【００１４】
第３ブルートゥース回路１３０内部の主要な回路素子も、前記の第１ブルートゥース回路１１０または第２ブルートゥース回路１２０に類似するが、簡略化のために、図１では第３ブルートゥース回路１３０内部の回路素子の図示を省略している。
【００１５】
第１ブルートゥース回路１１０において、第１ブルートゥース通信回路１１１は、他のブルートゥース装置とデータ通信することができる。第１パケット分析回路１１３は、第１ブルートゥース通信回路１１１が受信したブルートゥースパケットを分析することができる。第１パケット分析回路１１３と結合的に接続する第１クロック同期回路１１５は、第１ブルートゥース回路１１０の使用するクロック信号を調整することにより、第１ブルートゥース回路１１０と他のブルートゥース装置との間で使用されるピコネットクロック（piconet clock）を同期させることができる。
【００１６】
第１制御回路１１７は、第１ブルートゥース通信回路１１１、第１パケット分析回路１１３、および第１クロック同期回路１１５と結合的に接続しており、これら回路の動作態様を制御するように構成されている。動作する際、第１制御回路１１７は、第１ブルートゥース通信回路１１１を介してブルートゥース無線伝送方式にて遠隔ブルートゥース装置１０２と直接にデータ通信すること、および、第１ブルートゥース通信回路１１１を介して他の構成要員回路とデータ通信することができる。第１制御回路１１７は、さらに、第１パケット分析回路１１３を用いて、第１ブルートゥース通信回路１１１の受信したパケットを分析することにより、関連するデータおよび指令を取得する。
【００１７】
第２ブルートゥース回路１２０において、第２ブルートゥース通信回路１２１は、他のブルートゥース装置とデータ通信することができる。第２パケット分析回路１２３は、第２ブルートゥース通信回路１２１が受信したブルートゥースパケットを分析することができる。第２パケット分析回路１２３と結合的に接続する第２クロック同期回路１２５は、第２ブルートゥース回路１２０の使用するクロック信号を調整することにより、第２ブルートゥース回路１２０と他のブルートゥース装置との間で使用されるピコネットクロックを同期させることができる。
【００１８】
第２制御回路１２７は、第２ブルートゥース通信回路１２１、第２パケット分析回路１２３、および第２クロック同期回路１２５と結合的に接続しており、これらの回路の動作態様を制御するように構成されている。動作する際、第２制御回路１２７は、第２ブルートゥース通信回路１２１を介してブルートゥース無線伝送方式にて他のブルートゥース装置とデータ通信すること、および、第２ブルートゥース通信回路１２１を介して他の構成要員回路とデータ通信することができる。第２制御回路１２７は、さらに、第２パケット分析回路１２３を用いて、第２ブルートゥース通信回路１２１の受信したパケットを分析することにより、関連するデータおよび指令を取得する。
【００１９】
実際の応用において、前記第１ブルートゥース通信回路１１１および第２ブルートゥース通信回路１２１のいずれも、各種バージョンのブルートゥース通信プロトコルをサポートできる好適な通信回路によって実現されてもよい。前記第１パケット分析回路１１３および第２パケット分析回路１２３のいずれも、様々なパケット復調変調回路、デジタル演算回路、マイクロプロセッサ、または特定用途向け集積回路（Application Specific Integrated Circuit，ＡＳＩＣ）によって実現されてもよい。前記第１クロック同期回路１１５および第２クロック同期回路１２５のいずれも、クロック周波数および／またはクロック位相を比較、調整可能な、適した様々な回路によって実現されてもよい。前記第１制御回路１１７および第２制御回路１２７のいずれも、適切な演算能力を有する様々なマイクロプロセッサまたはデジタル信号処理回路によって実現されてもよい。
【００２０】
一部の実施例において、第１クロック同期回路１１５または第２クロック同期回路１２５をそれぞれ、第１制御回路１１７または第２制御回路１２７と統合してもよい。また、前記第１パケット分析回路１１３および第２パケット分析回路１２３をそれぞれ、前記第１ブルートゥース通信回路１１１および第２ブルートゥース通信回路１２１と統合してもよい。
【００２１】
換言すれば、前記第１ブルートゥース通信回路１１１および第１パケット分析回路１１３は、別々の回路によって実現され得るし、同一回路によっても実現され得る。同様に、前記第２ブルートゥース通信回路１２１および第２パケット分析回路１２３は、別々の回路によって実現され得るし、同一回路によっても実現され得る。
【００２２】
応用する際、前記第１ブルートゥース回路１１０中の異なる機能ブロックを１つの単独の回路チップ内に統合してもよい。例えば、第１ブルートゥース回路１１０中の全ての機能ブロックを１つの単独のブルートゥース制御チップ（Bluetooth（登録商標） controller ＩＣ）内に統合してもよい。同様に、第２ブルートゥース回路１２０中の全ての機能ブロックを１つの単独のブルートゥース制御チップ内に統合してもよい。
【００２３】
上述したように、マルチ構成要員型ブルートゥース装置１００における異なる構成要員回路は、各自のブルートゥース通信回路を介して相互にデータ通信することにより、様々な形態のデータネットワークまたはデータリンクを形成することができる。マルチ構成要員型ブルートゥース装置１００が遠隔ブルートゥース装置１０２とデータ通信する際、遠隔ブルートゥース装置１０２は、マルチ構成要員型ブルートゥース装置１００を１つの単独のブルートゥース装置と見做して扱うことになる。そして、同一時間において、マルチ構成要員型ブルートゥース装置１００は、複数の構成要員回路のうち、ブルートゥース主回路（main Bluetooth circuit）の役割を担う構成要員回路を１つ選出し、遠隔ブルートゥース装置１０２から送信されてくるパケットの受信に関する主な処理を行わせる。残りの構成要員回路は、ブルートゥース副回路（auxiliary Bluetooth circuit）の役割を担う。
【００２４】
ブルートゥース主回路は、遠隔ブルートゥース装置１０２から送信されてくるパケットを、既知の様々な方式により受信してもよい。ブルートゥース副回路は、ブルートゥース主回路の動作過程中に、遠隔ブルートゥース装置１０２から送信されてくるパケットを適切な方式で取得してもよい。
【００２５】
例えば、遠隔ブルートゥース装置１０２から送信されてくるパケットをブルートゥース主回路が受信する過程中において、ブルートゥース副回路は、傍受モード（sniff mode）下で動作し、遠隔ブルートゥース装置１０２から送信されてくるパケットを自発的に傍受してもよい。あるいは、ブルートゥース副回路は、間接受信モード（relay mode）下で動作し、ブルートゥース主回路が転送してきた遠隔ブルートゥース装置１０２からのパケットを受動的に受信するのみで、遠隔ブルートゥース装置１０２から送信されてくるパケットを自発的に傍受しなくてもよい。なお、上記２つの場合における、ブルートゥース主回路およびブルートゥース副回路の各自の動作態様は、後に詳しく説明する。
【００２６】
なお、明細書および特許請求の範囲において記載される「ブルートゥース主回路」および「ブルートゥース副回路」という二つの用語は、遠隔ブルートゥース装置１０２から送信されてくるパケットの受信方式が構成要員回路によっては異なるということを示すためのものであり、ブルートゥース副回路の他の動作の制御権限がブルートゥース主回路によって、ある程度に制限されるか否かを意味するものではない。
【００２７】
また、マルチ構成要員型ブルートゥース装置１００の動作過程中において、ブルートゥース主回路およびブルートゥース副回路の役割は自発的に相互交換してもよい。例えば、ブルートゥース主回路は、断続的に、自身の演算負荷、残電、温度および／または動作環境等の動作パラメータを自己評価し、前記動作パラメータが所定の条件に合致している場合に、ブルートゥース主回路の役割を他のブルートゥース副回路に引き継がせてもよい。
【００２８】
また、例えば、ブルートゥース主回路は、断続的に、自身の前記動作パラメータと他のブルートゥース副回路の動作パラメータとの差分を比較し、ブルートゥース主回路の動作パラメータとブルートゥース副回路の動作パラメータとの差分が所定の程度を上回っている場合に、ブルートゥース主回路の役割を他のブルートゥース副回路に引き継がせてもよい。
【００２９】
また、例えば、ブルートゥース主回路は、断続的に、自身のブルートゥースパケットロス率と他のブルートゥース副回路のブルートゥースパケットロス率とを比較し、当該他のブルートゥース副回路のブルートゥースパケットロス率が比較的低い場合に、ブルートゥース主回路の役割を他のブルートゥース副回路に引き継がせてもよい。
【００３０】
実際の応用において、ブルートゥース主回路は、上述した様々な評価条件を含めて総合的に考慮し、ブルートゥース主回路の役割を他のブルートゥース副回路に引き継がせるべきか否かを判断してもよい。
【００３１】
あるいは、ブルートゥース副回路は、ブルートゥース主回路が動作不能または検出不能となったか否かを様々な方式で判断し、ブルートゥース主回路が動作不能または検出不能となったと判断した場合、当該ブルートゥース主回路の代わりにその役割を自発的に引き継いでもよい。
【００３２】
周知のように、マルチ構成要員型ブルートゥース装置１００が遠隔ブルートゥース装置１０２とデータ通信する過程において、ブルートゥース通信の無線信号環境は、様々な要素によって、経時的に変化し、または、ユーザの姿勢や使用習慣に影響されて変化する可能性がある。ブルートゥース主回路およびブルートゥース副回路の役割が相互交換されなかった場合、その時のブルートゥース通信環境の状況に応じてブルートゥース主回路とブルートゥース副回路との間の協働動作を動的に調整できなければ、マルチ構成要員型ブルートゥース装置１００全体上の動作能率が低下したり、ブルートゥース主回路またはブルートゥース副回路の待機可能期間が減少しりするおそれがある。場合によっては、ブルートゥース副回路またはブルートゥース主回路の発熱量および温度が増加し、ないしは、ブルートゥース副回路またはブルートゥース主回路の使用寿命が短縮し、または、ブルートゥース副回路やブルートゥース主回路の利用感覚が悪くなる可能性がある（発熱量または温度が高すぎると、ユーザ体験が悪くなる可能性がある）。
【００３３】
以下、図２および図３を参照しながら、マルチ構成要員型ブルートゥース装置１００の動作態様をさらに説明する。図２〜図３は、本発明に係るマルチ構成要員型ブルートゥース装置１００の第１実施例における動作態様の簡略化フローチャートである。
【００３４】
図２〜図３のフローチャートにおいて、特定の装置が属する枠内のステップは、該特定の装置が実行するステップを意味する。例えば、「ブルートゥース主回路」の枠内に表記された部分は、ブルートゥース主回路の役割を担う構成要員回路が実行するステップであり、「ブルートゥース副回路」の枠内に表記された部分は、ブルートゥース副回路の役割を担う構成要員回路が実行するステップである。このロジックは、後続の他のフローチャートにも適用される。
【００３５】
図２に示すように、マルチ構成要員型ブルートゥース装置１００は、先ずステップ２０２を実行し、遠隔ブルートゥース装置１０２から送信されてくるパケットの受信に必要なブルートゥース接続パラメータを取得する。実際の応用において、マルチ構成要員型ブルートゥース装置１００は、何れか１つの構成要員回路を用いて遠隔ブルートゥース装置１０２との接続を立ち上げ、関連するブルートゥース接続パラメータを取得した後、該構成要員回路を介し、取得したブルートゥース接続パラメータを他の構成要員回路に伝送してもよい。
【００３６】
例えば、一実施例において、第１ブルートゥース回路１１０の第１制御回路１１７は、ステップ２０２において、第１ブルートゥース通信回路１１１を、遠隔ブルートゥース装置１０２とのブルートゥース接続を立ち上げさせるように制御するとともに、第１ブルートゥース回路１１０と遠隔ブルートゥース装置１０２との間のブルートゥース接続パラメータを、第１ブルートゥース通信回路１１１を介して第２ブルートゥース回路１２０等の他の構成要員回路に伝送してもよい。これにより、他の構成要員回路は、この以降、遠隔ブルートゥース装置１０２から送信されてくるパケットを、ブルートゥース接続パラメータを用いて受信することが可能となる。
【００３７】
また、例えば、別の一実施例において、第２ブルートゥース回路１２０の第２制御回路１２７は、ステップ２０２において、第２ブルートゥース通信回路１２１を、遠隔ブルートゥース装置１０２とのブルートゥース接続を立ち上げさせるように制御するとともに、第２ブルートゥース通信回路１２１を介して、第２ブルートゥース回路１２０と遠隔ブルートゥース装置１０２との間のブルートゥース接続パラメータを他の構成要員回路に伝送してもよい。これにより、他の構成要員回路は、この以降、遠隔ブルートゥース装置１０２から送信されてくるパケットを、ブルートゥース接続パラメータを用いて受信することができるようになる。一方、第２制御回路１２７は、ステップ２０２において、第２ブルートゥース通信回路１２１を介して、第２ブルートゥース回路１２０の装置識別データ、および、第２ブルートゥース回路１２０と遠隔ブルートゥース装置１０２との間のブルートゥース接続パラメータを第１ブルートゥース回路１１０に伝送してもよい。これにより、第１ブルートゥース回路１１０は、後続のステップにおいて、遠隔ブルートゥース装置１０２と双方向パケット伝送を行うことができるようになる。その後、第２ブルートゥース回路１２０は、遠隔ブルートゥース装置１０２にパケットを伝送しなくなり、遠隔ブルートゥース装置１０２から送信されてくるパケットを単方向に受信するのみに変更する。これにより、遠隔ブルートゥース装置１０２におけるパケット衝突の発生を回避する。
【００３８】
以下、説明の便宜上、マルチ構成要員型ブルートゥース装置１００において、遠隔ブルートゥース装置１０２から送信されてくるパケットの受信に関する主な処理を行う構成要員回路として、現在、第１ブルートゥース回路１１０が選出されており、残りの構成要員回路（例えば、前記第２ブルートゥース回路１２０および第３ブルートゥース回路１３０）がブルートゥース副回路の役割を担う、と仮定する。
【００３９】
ステップ２０４において、第１ブルートゥース回路１１０は、この以降第１ブルートゥース回路１１０がブルートゥース主回路の役割を担う旨を、第１ブルートゥース通信回路１１１を介してマルチ構成要員型ブルートゥース装置１００における他の構成要員回路（例えば、前記第２ブルートゥース回路１２０および第３ブルートゥース回路１３０）に通知するとともに、当該他の構成要員回路に対し、ブルートゥース副回路の役割を担い且つ傍受モードで動作するように指示する。つまり、この以降、第１ブルートゥース回路１１０は、遠隔ブルートゥース装置１０２から送信されてくるパケットの受信に関する主な処理を行い、他の構成要員回路は、遠隔ブルートゥース装置１０２から送信されてくるパケットを傍受するのみで、指令、データ、またはその他の関連パケットを遠隔ブルートゥース装置１０２に伝送することが許可されない。
【００４０】
次に、ブルートゥース副回路が傍受モードで動作する期間中、第１ブルートゥース回路１１０はステップ２０６を実行する。
【００４１】
ステップ２０６において、第１ブルートゥース回路１１０の第１制御回路１１７は、遠隔ブルートゥース装置１０２から送信されてくるパケットを、第１ブルートゥース通信回路１１１を用いて受信する。但し、第１制御回路１１７は、遠隔ブルートゥース装置１０２から送信されてくるパケットを、第１ブルートゥース通信回路１１１を介して他のブルートゥース副回路に転送する処理を行わない。
【００４２】
動作する際、第１制御回路１１７は、ステップ２０２で取得したブルートゥース接続パラメータを用い、第１ブルートゥース通信回路１１１を介して遠隔ブルートゥース装置１０２とパケット伝送を行うことにより、遠隔ブルートゥース装置１０２から送信されてくる様々なパケットを受信するか、または、様々なパケットを遠隔ブルートゥース装置１０２に伝送してもよい。なお、前記ステップ２０２の動作について説明したように、第１ブルートゥース回路１１０が、遠隔ブルートゥース装置１０２とパケット伝送を行う際に用いるブルートゥース接続パラメータは、第１ブルートゥース回路１１０自身が取得したものであり得るし、他の構成要員回路（例えば、第２ブルートゥース回路１２０）から伝送されてきたものでもあり得る。
【００４３】
第１ブルートゥース通信回路１１１が遠隔ブルートゥース装置１０２から送信されてくるパケットを受信するたびに、第１ブルートゥース回路１１０の第１制御回路１１７は、対応する確認メッセージ（acknowledge message）を、第１ブルートゥース通信回路１１１を介して遠隔ブルートゥース装置１０２に伝送してもよい。そして、遠隔ブルートゥース装置１０２は、特定のパケットに対応する確認メッセージを受信できなかった場合、該特定のパケットを第１ブルートゥース通信回路１１１に再送する。実際の応用において、第１ブルートゥース回路１１０と遠隔ブルートゥース装置１０２との間において、適した様々なパケットハンドシェーク（handshake）方式を用いることで、パケット取り漏らしのリスクを低減させ、または回避してもよい。
【００４４】
一方、ブルートゥース主回路が遠隔ブルートゥース装置１０２から送信されてくるパケットを受信している過程中、ブルートゥース副回路の役割を担う他の構成要員回路は、ステップ２０８を実行する。すなわち、傍受モードで動作し続け、遠隔ブルートゥース装置１０２から送信されてくるパケットを傍受する。例えば、ステップ２０８において、第２ブルートゥース回路１２０の第２制御回路１２７は、ステップ２０２で取得したブルートゥース接続パラメータに基づき、遠隔ブルートゥース装置１０２から送信されてくるパケットを、第２ブルートゥース通信回路１２１を用いて傍受してもよい。一実施例において、第２ブルートゥース通信回路１２１は、遠隔ブルートゥース装置１０２から送信されてくる全てのブルートゥースパケットを傍受してもよい。別の一実施例において、第２ブルートゥース通信回路１２１は、遠隔ブルートゥース装置１０２からマルチ構成要員型ブルートゥース装置１００以外の装置へ伝送されるべきブルートゥースパケットを傍受せず、遠隔ブルートゥース装置１０２から第１ブルートゥース回路１１０へ伝送されるべきブルートゥースパケットのみを傍受する。前記ステップ２０２について説明したように、第２ブルートゥース通信回路１２１が、遠隔ブルートゥース装置１０２から送信されてくるパケットを傍受する際に用いるブルートゥース接続パラメータは、第２ブルートゥース回路１２０自身が取得したものであり得るし、他の構成要員回路（例えば、第１ブルートゥース回路１１０）から伝送されてきたものでもあり得る。
【００４５】
ブルートゥース副回路は、遠隔ブルートゥース装置１０２から送信されてくるパケットを傍受するたびに、ステップ２１０を実行してもよい。ステップ２１０において、ブルートゥース副回路は、傍受したパケットと対応付けた通知メッセージ（notification message）をブルートゥース主回路に伝送するが、遠隔ブルートゥース装置１０２に確認メッセージを伝送することは一切ない。例えば、第２ブルートゥース回路１２０が、遠隔ブルートゥース装置１０２から送信されてくるパケットを受信するたびに、第２制御回路１２７は、ステップ２１０を実行し、第２ブルートゥース通信回路１２１を介し、対応する通知メッセージを第１ブルートゥース回路１１０の第１ブルートゥース通信回路１１１に伝送してもよい。但し、第２制御回路１２７は、第２ブルートゥース通信回路１２１を介して確認メッセージを遠隔ブルートゥース装置１０２に伝送する処理は一切行わない。
【００４６】
実際の応用における変更例として、ブルートゥース副回路は、遠隔ブルートゥース装置１０２からの特定のパケットを傍受したか否かの問い合わせをブルートゥース主回路から受けた場合に、前記ステップ２１０を実行してもよい。
【００４７】
換言すれば、本実施例では、ブルートゥース副回路が傍受モードで動作する期間中、ブルートゥース主回路および他のブルートゥース副回路のいずれも、遠隔ブルートゥース装置１０２から送信されてくるパケットを受信する。但し、パケットを受信したときに確認メッセージを遠隔ブルートゥース装置１０２に伝送するのはブルートゥース主回路のみであり、他のブルートゥース副回路はいずれも、確認メッセージを遠隔ブルートゥース装置１０２に伝送しない。これにより、遠隔ブルートゥース装置１０２の誤判断を回避する。遠隔ブルートゥース装置１０２は、遠隔ブルートゥース装置１０２から送信されてくるパケットを第２ブルートゥース回路１２０が傍受していることを把握しておらず、且つ、対応する確認メッセージを第２ブルートゥース回路１２０が遠隔ブルートゥース装置１０２に送信していないため、第２ブルートゥース回路１２０と遠隔ブルートゥース装置１０２との間では、遠隔ブルートゥース装置１０２から送信されたパケットに関するいかなるパケットハンドシェークも、行われない。
【００４８】
本実施例において、第２ブルートゥース回路１２０が前記通知メッセージを第１ブルートゥース回路１１０に伝送する目的は、第１ブルートゥース回路１１０とパケットハンドシェークを行うためではなく、遠隔ブルートゥース装置１０２から送信されてくるいずれかのパケットを第２ブルートゥース回路１２０が取り漏らしたか否かを、第１ブルートゥース回路１１０に把握させるためである。
【００４９】
また、第２ブルートゥース回路１２０が前記通知メッセージを第１ブルートゥース回路１１０に伝送する目的は、この伝送をきっかけに前記確認メッセージを遠隔ブルートゥース装置１０２に伝送すべきか否かを、第１ブルートゥース回路１１０に決定させるためでもない。本実施例の第１制御回路１１７は、前記確認メッセージを遠隔ブルートゥース装置１０２に伝送するまで、第２ブルートゥース回路１２０からの前記通知メッセージが第１ブルートゥース通信回路１１１によって受信されたか否かをチェックする処理を行わない。したがって、第１ブルートゥース通信回路１１１が確認メッセージを遠隔ブルートゥース装置１０２に伝送するタイミングは、第２ブルートゥース回路１２０から伝送されてきた前記通知メッセージを第１ブルートゥース通信回路１１１が受信したか否かに、関係しない。
【００５０】
実際の応用において、第２ブルートゥース回路１２０から第１ブルートゥース回路１１０へ伝送される前記通知メッセージは、適した様々なデータ形式によって実現され得る。例えば、第２ブルートゥース回路１２０が、遠隔ブルートゥース装置１０２から送信されてきた特定のブルートゥースパケットを受信したとき、第２制御回路１２７は、当該特定のブルートゥースパケットからそのパケット番号を抽出し、該パケット番号と、第２ブルートゥース回路１２０を識別可能な装置コードまたは装置識別データとを、統合化または暗号化により、当該特定のブルートゥースパケットに対応した通知メッセージとしてもよい。また、例えば、第２制御回路１２７は、当該特定のブルートゥースパケットから適切なパケット識別データを抽出し、該パケット識別データと、第２ブルートゥース回路１２０を識別可能な装置コードまたは装置識別データとを、統合化または暗号化により、当該特定のブルートゥースパケットに対応した通知メッセージとしてもよい。
【００５１】
上述したように、遠隔ブルートゥース装置１０２が複数のブルートゥースパケットを連続送信する過程において、通常の場合、それぞれのブルートゥース副回路は、前記ステップ２０８およびステップ２１０を繰り返し、複数の通知メッセージを第１ブルートゥース回路１１０に伝送する。例えば、第２ブルートゥース回路１２０は、ステップ２０８およびステップ２１０を繰り返し、遠隔ブルートゥース装置１０２から送信されてきた複数のブルートゥースパケットに対応する複数の通知メッセージを、第１ブルートゥース回路１１０に伝送してもよい。
【００５２】
実際に動作する際、それぞれのブルートゥース副回路が、遠隔ブルートゥース装置１０２から送信されてきたパケットの一部を取り漏らすことが稀にある。また、ブルートゥース副回路によっては、取り漏らされたパケットの種類および数量が異なる場合がある。したがって、ブルートゥース主回路は、断続的または周期的にステップ２１２を実行し、遠隔ブルートゥース装置１０２から送信されてきたパケットを各々のブルートゥース副回路が取り漏らしたか否かを、各々のブルートゥース副回路から伝送されてきた複数の通知メッセージに基づいて判断してもよい。
【００５３】
例えば、ステップ２１２において、第１ブルートゥース回路１１０の第１制御回路１１７は、遠隔ブルートゥース装置１０２から送信されてきたパケットの一部を第２ブルートゥース回路１２０が取り漏らしていないかを、第２ブルートゥース回路１２０から伝送されてきた複数の通知メッセージに基づいて検査してもよい。第１パケット分析回路１１３は、第２ブルートゥース回路１２０から伝送されてきた複数の通知メッセージを分析し、複数のパケット番号または複数のパケット識別データを取得してもよい。そして、第１制御回路１１７は、これらパケット番号またはパケット識別データが連続的なものであるか否かをチェックすることにより、遠隔ブルートゥース装置１０２から送信されてきたパケットの一部を第２ブルートゥース回路１２０が取り漏らしていないかを、検査してもよい。前記パケット番号またはパケット識別データが連続的なものではない場合、第１制御回路１１７は、欠落しているパケット番号またはパケット識別データと対応したパケットを第２ブルートゥース回路１２０が取り漏らしたと判断してもよい。また、第１制御回路１１７は、欠落しているパケット番号またはパケット識別データに基づき、第２ブルートゥース回路１２０がどのパケットを取り漏らしたかを特定してもよい。
【００５４】
上述したように、第１ブルートゥース回路１１０と遠隔ブルートゥース装置１０２との間でパケットハンドシェークの方式が用いられるため、通常、第１ブルートゥース回路１１０は、遠隔ブルートゥース装置１０２から送信されてくる全てのパケットを順調に取得できると考えられる。
【００５５】
第１制御回路１１７は、遠隔ブルートゥース装置１０２から送信されてきたパケットの一部を何らかのブルートゥース副回路が取り漏らしたことを検出した場合、ステップ２１４を実行し、第１ブルートゥース通信回路１１１を介して、該ブルートゥース副回路の取り漏らしたパケットを該ブルートゥース副回路に伝送する。
【００５６】
例えば、第１制御回路１１７は、遠隔ブルートゥース装置１０２から送信されてきた特定のパケットを第２ブルートゥース回路１２０が取り漏らしたことを検出した場合、ステップ２１４を実行し、第２ブルートゥース回路１２０の取り漏らしたパケットを、第１ブルートゥース通信回路１１１を介して第２ブルートゥース回路１２０に伝送する。
【００５７】
この場合、第２ブルートゥース回路１２０は、ステップ２１６を実行し、第１ブルートゥース回路１１０から伝送されてきたパケットを、第２ブルートゥース通信回路１２１を介して受信する。換言すれば、第２ブルートゥース回路１２０が傍受モードで動作する期間中、第２制御回路１２７は、第１ブルートゥース回路１１０から伝送されてきたパケットを、第２ブルートゥース通信回路１２１を介して受信することにより、遠隔ブルートゥース装置１０２から送信されたにもかかわらず第２ブルートゥース通信回路１２１によって取り漏らされたパケットを、取得してもよい。
【００５８】
上述した動作を繰り返すことにより、第２ブルートゥース回路１２０は、第１ブルートゥース回路１１０の協力のもとで、取り漏らしたパケットを補完することができる。同様に、第１ブルートゥース回路１１０は、上述した方式にて、他のブルートゥース副回路による取り漏らしパケット補完処理に協力してもよい。
【００５９】
ブルートゥース副回路が傍受モードで動作する期間中、ブルートゥース副回路は、指令、データ、または関連パケットを遠隔ブルートゥース装置１０２に伝送する必要がある場合、ブルートゥース主回路を介して該指令を遠隔ブルートゥース装置１０２に伝送する必要がある。例えば、第２ブルートゥース回路１２０は、指令、データ、または関連パケットを遠隔ブルートゥース装置１０２に伝送する必要がある場合、第２ブルートゥース通信回路１２１を介して前記指令、データ、または関連パケットを、ブルートゥース主回路の役割を担う第１ブルートゥース回路１１０に伝送する必要がある。その後、前記指令、データ、または関連パケットは、第１ブルートゥース回路１１０経由で遠隔ブルートゥース装置１０２へ転送される。これにより、遠隔ブルートゥース装置１０２におけるパケット衝突が回避される。
【００６０】
換言すれば、ブルートゥース副回路が傍受モードで動作する期間中、マルチ構成要員型ブルートゥース装置１００における全ての構成要員回路が、遠隔ブルートゥース装置１０２から送信されてくるパケットを受信する。但し、指令、データ、またはその他の関連パケットを遠隔ブルートゥース装置１０２に伝送することが許されるのは、ブルートゥース主回路のみである。
【００６１】
上述したように、第１ブルートゥース回路１１０と遠隔ブルートゥース装置１０２との間では、パケットの取り漏らしを回避するためにパケットハンドシェークの方式が用いられる。さらに、第１ブルートゥース通信回路１１１が確認メッセージを遠隔ブルートゥース装置１０２に伝送するタイミングは、第２ブルートゥース回路１２０から伝送されてきた前記通知メッセージを第１ブルートゥース回路１１０が受信したか否かに、関係しない。
【００６２】
したがって、他のブルートゥース副回路が、遠隔ブルートゥース装置１０２から送信されてきたパケットを受信した場合にその通知メッセージを第１ブルートゥース回路１１０に伝送する動作は、第１ブルートゥース回路１１０と遠隔ブルートゥース装置１０２との間のパケットハンドシェークを干渉、または遅延させることがなく、第１ブルートゥース回路１１０による前記パケットハンドシェークの実行に余計な動作負荷をもたらすこともない。
【００６３】
一方、マルチ構成要員型ブルートゥース装置１００における他のブルートゥース副回路（例えば、前記第２ブルートゥース回路１２０および第３ブルートゥース回路１３０）のいずれも、遠隔ブルートゥース装置１０２から送信されてくるパケットを傍受するため、各ブルートゥース副回路は、通常、遠隔ブルートゥース装置１０２から送信されてくるパケットの大部分を受信することになる。したがって、ブルートゥース主回路である第１ブルートゥース回路１１０は、遠隔ブルートゥース装置１０２から送信されてきた全てのパケットを各々のブルートゥース副回路に伝送する必要がなく、個別のブルートゥース副回路の取り漏らしたパケットを該ブルートゥース副回路に伝送すればよい。
【００６４】
したがって、マルチ構成要員型ブルートゥース装置１００が図２の方法を用いて遠隔ブルートゥース装置１０２とインタラクションすることで、ブルートゥース主回路（本実施例では第１ブルートゥース回路１１０）のパケット転送の負荷が軽減され、ブルートゥース主回路の電力消費量が節約される。これにより、ブルートゥース主回路の動作可能期間および待機可能期間を効果的に延長させることができる。
【００６５】
これ以外にも、ブルートゥース主回路と他の構成要員回路との間のデータ伝送に必要な帯域幅要求が大幅に緩和されるため、ブルートゥース主回路および他の構成要員回路のハードウエアの設計を簡単化し、および／または、回路の複雑さおよび回路のコストを低減させることができる。
【００６６】
動作する際、遠隔ブルートゥース装置１０２から送信されてきた音声データまたは動画データを異なる構成要員回路が同期再生可能なよう、ブルートゥース主回路と他のブルートゥース副回路との間において、適した様々な従来データ同期方式が採用されてもよい。これにより、異なる構成要員回路の再生タイミングの不一致を回避することができる。
【００６７】
上述したように、ブルートゥース副回路が傍受モードで動作する期間中、ブルートゥース主回路およびブルートゥース副回路の役割が相互交換されないが、ブルートゥース通信の無線信号環境が、様々な要素により経時的に変化し、または、ユーザの姿勢や使用習慣に影響されて変化することがある。その時のブルートゥース通信環境の状況に応じてブルートゥース主回路とブルートゥース副回路との間の協働動作を動的に調整できなければ、マルチ構成要員型ブルートゥース装置１００全体上の動作能率が低下したり、ブルートゥース主回路またはブルートゥース副回路の待機可能期間が減少するおそれがある。場合によっては、ブルートゥース副回路またはブルートゥース主回路の使用寿命が短縮し、または、ブルートゥース副回路またはブルートゥース主回路の利用感覚が悪くなる可能性がある。
【００６８】
図３のように、本実施例において、ブルートゥース副回路は、傍受モードで動作する期間中にステップ３０２を断続的に実行することにより、自身が傍受したパケットのデータスループット量（throughput）を計算する。例えば、第２ブルートゥース回路１２０の第２制御回路１２７は、ステップ３０２において、第２ブルートゥース通信回路１２１が傍受した、遠隔ブルートゥース装置１０２から送信されてきたパケットのデータ量を計算し、対応するデータスループット量を生成してもよい。
【００６９】
次に、第２制御回路１２７は、ステップ３０４を実行し、第２ブルートゥース通信回路１２１が傍受したデータのスループット量を所定の臨界値と比較する。
【００７０】
第２ブルートゥース通信回路１２１が傍受したデータのスループット量が該所定の臨界値を上回っている場合、これは遠隔ブルートゥース装置１０２から送信されたパケット量が正常の範囲にあり、且つ、第２ブルートゥース回路１２０がブルートゥース通信を行ったその時の無線信号環境が十分に良好であったことを意味する。この場合、第２ブルートゥース回路１２０は、引き続き傍受モードで動作し、前記ステップ２０８〜ステップ３０４の動作を繰り返せばよい。
【００７１】
逆に、第２ブルートゥース通信回路１２１が傍受したデータのスループット量が該所定の臨界値を下回っている場合、これは第２ブルートゥース回路１２０がブルートゥース通信を行ったその時の無線信号環境が良好ではなかったこと、または、遠隔ブルートゥース装置１０２から送信されたパケット量が少なすぎたこと、ないしは、遠隔ブルートゥース装置１０２が休止モードであったことを意味する。この場合、第２ブルートゥース回路１２０はステップ３０６を実行すればよい。
【００７２】
ステップ３０６において、第２制御回路１２７は、第１モード切替要求を生成し、第２ブルートゥース通信回路１２１を介して、第１モード切替要求をブルートゥース主回路に伝送する。前記第１モード切替要求は、第２ブルートゥース回路１２０における傍受モードから間接受信モードへの切り替えの許可をブルートゥース主回路に要求するためのものである。実際の応用において、該第１モード切替要求は、適した様々なデータ形式によって実現され得る。
【００７３】
ステップ３０８において、第１ブルートゥース回路１１０は、第２ブルートゥース回路１２０から伝送されてくる第１モード切替要求を、第１ブルートゥース通信回路１１１を用いて受信する。
【００７４】
ステップ３１０において、第１ブルートゥース回路１１０の第１制御回路１１７は、第２ブルートゥース回路１２０の動作モードの切り替えを許可すべきか否かを判断する。本実施例において、第１制御回路１１７は、前記第１モード切替要求を受信した後、第２ブルートゥース回路１２０の動作モードの切り替えを許可すべきか否かを、所定の規則に基づいて判断するとともに、判断の結果に基づき、対応する後続ステップの処理を行う。第１制御回路１１７は、判断した結果、第２ブルートゥース回路１２０の動作モードの切り替えを許可しないと決定した場合、ステップ３１２を実行する。逆に、第１制御回路１１７は、判断した結果、第２ブルートゥース回路１２０の動作モードの切り替えを許可すると決定した場合、ステップ３１６を実行する。
【００７５】
第１ブルートゥース回路１１０がブルートゥース副回路の動作モードの切り替えを許可した後、第２ブルートゥース回路１２０は、傍受モードから間接受信モードに切り替えることが可能となりその後の第１ブルートゥース回路１１０は、遠隔ブルートゥース装置１０２から送信されてくるパケットを第２ブルートゥース回路１２０に伝送する必要がある。しかしこれにより、第１ブルートゥース回路１１０の演算負荷、電力消費量、発熱量、および、第１ブルートゥース回路１１０と第２ブルートゥース回路１２０との間のデータ伝送に必要な帯域幅が増加する可能性がある。
【００７６】
そこで、第１制御回路１１７は、前記第１モード切替要求を受信すると、受信時点の第１ブルートゥース回路１１０の演算負荷、残電、温度、および／または利用可能なデータ帯域幅などの要素を評価し、評価の結果が所定の条件に達したと判断した場合のみ、第２ブルートゥース回路１２０の動作モードの切り替えを許可してもよい。例えば、第１制御回路１１７は、その時のブルートゥース主回路の演算負荷が所定レベルを下回っている場合、残電が所定レベルを上回っている場合、温度が所定の温度値を下回っている場合、および／または利用可能なデータ帯域幅が所定の値を上回っている場合に、第２ブルートゥース回路１２０の動作モードの切り替えを許可してもよい。
【００７７】
ステップ３１２において、第１制御回路１１７は、第２ブルートゥース回路１２０の動作モードの切り替えが第１ブルートゥース回路１１０に許可されないという旨を示す拒否メッセージを生成し、第１ブルートゥース通信回路１１１を介して該拒否メッセージを第２ブルートゥース回路１２０に伝送する。
【００７８】
ステップ３１４において、第２ブルートゥース回路１２０は、第２ブルートゥース通信回路１２１を用いて、第１ブルートゥース回路１１０から伝送されてくる拒否メッセージを受信する。この場合、第２制御回路１２７は、該拒否メッセージの指示に基づき、第２ブルートゥース回路１２０を、引き続き傍受モードで動作させるとともに前記ステップ２０８〜ステップ３０４の動作を繰り返させるように、制御すればよい。
【００７９】
ステップ３1６において、第１ブルートゥース回路１１０の第１制御回路１１７は、第２ブルートゥース回路１２０に対して傍受モードから間接受信モードに切り替えさせるように指示するための第１モード切替指示を生成し、第１ブルートゥース通信回路１１１を介して第１モード切替指示を第２ブルートゥース回路１２０に伝送する。
【００８０】
ステップ３1８において、第２ブルートゥース通信回路１２１は、第１ブルートゥース回路１１０から伝送されてきた第１モード切替指示を受信し、第２制御回路１２７は、該第１モード切替指示に基づき、第２ブルートゥース回路１２０の動作モードを傍受モードから間接受信モードに切り替える。
【００８１】
続いて、第１ブルートゥース回路１１０はステップ３２０を実行し、第２ブルートゥース回路１２０はステップ３２２を実行する。
【００８２】
ステップ３２０において、第１ブルートゥース回路１１０の第１制御回路１１７は、遠隔ブルートゥース装置１０２から送信されてくるパケットを、第１ブルートゥース通信回路１１１を用いて受信し、受信した該パケットを、第１ブルートゥース通信回路１１１を介して第２ブルートゥース回路１２０に転送する。
【００８３】
ステップ３２２において、第２制御回路１２７は、第２ブルートゥース回路１２０を間接受信モードで動作させるように制御するとともに、第１ブルートゥース回路１１０から転送されてきたパケットを、第２ブルートゥース通信回路１２１を用いて受信する。但し、第２ブルートゥース回路１２０が間接受信モードで動作する期間中、第２制御回路１２７は、遠隔ブルートゥース装置１０２から送信されてくるパケットを、第２ブルートゥース通信回路１２１を介して傍受する処理を行わない。換言すれば、第２ブルートゥース回路１２０が間接受信モードで動作する期間中、第２ブルートゥース回路１２０は、遠隔ブルートゥース装置１０２から送信されてくるパケットを、第１ブルートゥース回路１１０を介して間接的に取得する。
【００８４】
なお、前記第１制御回路１１７が先にステップ３１０の判断ステップを実行し、第１ブルートゥース回路１１０が所定の条件に合致していると判断した場合にステップ３１６を実行する動作態様は単に一実施例であり、本発明の実際の実施形態を限定するものではない。実際の応用において、第１制御回路１１７は、前記第１モード切替要求を受信した後、前記ステップ３１０の判断処理を飛ばして直接にステップ３１６を実行してもよい。
【００８５】
上述したように、ブルートゥース副回路の役割を担う第２ブルートゥース回路１２０は、傍受モードで動作する期間中、自身が傍受したデータのスループット量と所定の臨界値との比較を断続的に行うことにより、自身のブルートゥース無線信号環境が悪化したか否かを評価し、または、遠隔ブルートゥース装置１０２から送信されてくるパケット量が著しく減少したか否かを評価する。第２ブルートゥース回路１２０が傍受したデータのスループット量が前記所定の臨界値を上回っていれば（つまり、遠隔ブルートゥース装置１０２から送信されたパケット量が正常の範囲にあり、且つ、第２ブルートゥース回路１２０のブルートゥース無線信号環境が相変わらず良好であれば）、ブルートゥース主回路の役割を担う第１ブルートゥース回路１１０は、第２ブルートゥース回路１２０に対して間接受信モードに切り替えせるように指示することはしない。この場合、第１ブルートゥース回路１１０は、遠隔ブルートゥース装置１０２から送信されてきた全てのパケットを第２ブルートゥース回路１２０に転送する必要がなく、第２ブルートゥース回路１２０の取り漏らしたパケットを第２ブルートゥース回路１２０に伝送すれば済む。これにより、第１ブルートゥース回路１１０の動作負荷、電力消費量、および発熱量を低減させ、さらに、第１ブルートゥース回路１１０の動作可能時間および待機可能期間を延長させ、第１ブルートゥース回路１１０と第２ブルートゥース回路１２０との間のデータ伝送に必要な帯域幅要求を大幅に緩和させることができる。
【００８６】
第２ブルートゥース回路１２０が傍受したデータのスループット量が前記所定の臨界値を下回っている場合のみ、つまり、第２ブルートゥース回路１２０のブルートゥース無線信号環境が良好でなくなった場合、遠隔ブルートゥース装置１０２から送信されたパケット量が少なすぎた場合、または、遠隔ブルートゥース装置１０２が休止モードであった場合に、第１ブルートゥース回路１１０は、第２ブルートゥース回路１２０に対し、動作モードを傍受モードから間接受信モードに切り替えさせるように指示する。この場合、第１ブルートゥース回路１１０は、遠隔ブルートゥース装置１０２から送信されてくる全てのパケットを第２ブルートゥース回路１２０に転送し、第２ブルートゥース回路１２０は、遠隔ブルートゥース装置１０２から送信されてくるパケットの傍受を停止する。これにより、第２ブルートゥース回路１２０の動作負荷、電力消費量、および発熱量を低減させることができる。さらに、第２ブルートゥース回路１２０の動作可能時間および待機可能期間を延長させ、第２ブルートゥース回路１２０の使用寿命を延長させ、および／または、第２ブルートゥース回路１２０のユーザ体験を改善することができる。前記構成では、第２ブルートゥース回路１２０を節電モード、休止モード、またはスリープモードに移行させることで、第２ブルートゥース回路１２０の電力消費量をさらに減少させることもできる。
【００８７】
これと類似的に、マルチ構成要員型ブルートゥース装置１００は、上述した方式に照らし合わせ、第３ブルートゥース回路１３０が傍受したデータのスループット量に基づき、第３ブルートゥース回路１３０の動作モードを動的に切り替えさせることができる。
【００８８】
したがって、前記図２および図３の動作態様を採用することにより、マルチ構成要員型ブルートゥース装置１００におけるブルートゥース主回路は、ブルートゥース副回路の動作モードを傍受モードから間接受信モードに動的に切り替えさせ、適応的にブルートゥース主回路とブルートゥース副回路との間の協働動作を変更させることができる。そのため、マルチ構成要員型ブルートゥース装置１００における複数のブルートゥース回路同士間で、負荷のバランス化、電力消費のバランス化、または発熱量のバランス化などの管理体制を実現することができる。したがって、マルチ構成要員型ブルートゥース装置１００全体上の動作能率を向上させ、ブルートゥース回路の使用寿命を延長し、または、ユーザ体験を改善することができる。
【００８９】
図４は、本発明に係るマルチ構成要員型ブルートゥース装置１００の、第２実施例における動作態様の一部の簡略フローチャートである。図４に記載の動作ステップは前記図２に記載の動作ステップと組み合わせてもよい。
【００９０】
図４の実施例においても、ブルートゥース副回路は、傍受モードで動作する期間中に同様にステップ３０２を断続的に実行することにより、自身が傍受したパケットのデータスループット量を計算する。但し、本実施例におけるブルートゥース副回路は、ステップ３０２を実行した後、前記ステップ３０４を実行せずに、図４のステップ４０４を実行し、自身が傍受したパケットのデータスループット量をブルートゥース主回路に伝送する。
【００９１】
例えば、第２ブルートゥース回路１２０は、ステップ３０２において、前記データスループット量を算出した後、ステップ４０４を実行する。このとき、第２制御回路１２７は、第２ブルートゥース通信回路１２１を介して、データスループット量を第１ブルートゥース回路１１０に伝送する。
【００９２】
ステップ４０６において、第１ブルートゥース回路１１０は、第１ブルートゥース通信回路１１１を用いて、第２ブルートゥース回路１２０から伝送されてきたデータスループット量を受信する。
【００９３】
次に、第１制御回路１１７は、ステップ４０８を実行し、第２ブルートゥース回路１２０が傍受したデータのスループット量を所定の臨界値と比較する。
【００９４】
第２ブルートゥース回路１２０が傍受したデータのスループット量が該所定の臨界値を上回っている場合、これは遠隔ブルートゥース装置１０２から送信されたパケット量が正常の範囲にあり、且つ、第２ブルートゥース回路１２０がブルートゥース通信を行ったその時の無線信号環境が十分に良好であったことを意味する。この場合、第１ブルートゥース回路１１０は、第２ブルートゥース回路１２０の動作モードを調整することなく、前記ステップ４０６およびステップ４０８の動作を繰り返す。
【００９５】
逆に、第２ブルートゥース回路１２０が傍受したデータのスループット量が該所定の臨界値を下回っている場合、これは第２ブルートゥース回路１２０がブルートゥース通信を行ったその時の無線信号環境は良好ではなかったこと、または、遠隔ブルートゥース装置１０２から送信されたパケット量が少なすぎたこと、ないしは、遠隔ブルートゥース装置１０２が休止モードであったことを意味する。この場合、マルチ構成要員型ブルートゥース装置１００は、前記図３のステップ３１６〜ステップ３２２と同様の動作を行えばよい。
【００９６】
前記図３の実施例と同様に、第２ブルートゥース回路１２０が傍受したデータのスループット量が前記所定の臨界値を下回っている場合のみ、つまり、第２ブルートゥース回路１２０のブルートゥース無線信号環境が良好でなくなった場合、遠隔ブルートゥース装置１０２から送信されたパケット量が少なすぎた場合、または、遠隔ブルートゥース装置１０２が休止モードであった場合に、第１ブルートゥース回路１１０は、第２ブルートゥース回路１２０に対し、動作モードを傍受モードから間接受信モードに切り替えさせるように指示する。この場合、第１ブルートゥース回路１１０は、遠隔ブルートゥース装置１０２から送信されてくる全てのパケットを第２ブルートゥース回路１２０に転送し、第２ブルートゥース回路１２０は、遠隔ブルートゥース装置１０２から送信されてくるパケットの傍受を停止する。これにより、第２ブルートゥース回路１２０の動作負荷、電力消費量、および発熱量を低減させることができる。さらに、第２ブルートゥース回路１２０の動作可能時間および待機可能期間を延長し、第２ブルートゥース回路１２０の使用寿命を延長し、および／または、第２ブルートゥース回路１２０のユーザ体験を改善することができる。前記構成では、第２ブルートゥース回路１２０を節電モード、休止モード、またはスリープモードに移行させることで、第２ブルートゥース回路１２０の電力消費量をさらに減少させることもできる。
【００９７】
これと類似的に、マルチ構成要員型ブルートゥース装置１００は、上述した方式に照らし合わせ、第３ブルートゥース回路１３０が傍受したデータのスループット量に基づき、第３ブルートゥース回路１３０の動作モードを動的に切り替えさせることができる。
【００９８】
したがって、前記図２および図４の動作態様を採用することにより、マルチ構成要員型ブルートゥース装置１００におけるブルートゥース主回路は、ブルートゥース副回路の動作モードを傍受モードから間接受信モードに動的に切り替えさせ、適応的にブルートゥース主回路とブルートゥース副回路との間の協働動作を変更させることができる。そのため、マルチ構成要員型ブルートゥース装置１００における複数のブルートゥース回路同士間で、負荷のバランス化、電力消費のバランス化、または発熱量のバランス化などの管理体制を実現することができる。したがって、マルチ構成要員型ブルートゥース装置１００全体上の動作能率を向上させ、ブルートゥース回路の使用寿命を延長し、または、ユーザ体験を改善することができる。
【００９９】
図５は、本発明に係るマルチ構成要員型ブルートゥース装置１００の、第３実施例における動作態様の一部の簡略化フローチャートである。図５に記載の動作ステップは前記図２に記載の動作ステップと組み合わせてもよい。
【０１００】
図５の実施例において、ブルートゥース主回路は、ブルートゥース副回路が傍受モードで動作する期間中に断続的にステップ５０２を実行し、ブルートゥース副回路が傍受したパケットのデータスループット量を計算する。
【０１０１】
例えば、ステップ５０２において、第１ブルートゥース回路１１０の第１制御回路１１７は、取り漏らされたパケットを第１ブルートゥース通信回路１１１にて第２ブルートゥース通信回路１２１に伝送した頻度に基づき、第２ブルートゥース回路１２０が傍受したデータのスループット量を計算してもよい。
【０１０２】
通常、第１制御回路１１７が、取り漏らされたパケットを第１ブルートゥース通信回路１１１にて第２ブルートゥース通信回路１２１に伝送した頻度が低いほど、遠隔ブルートゥース装置１０２から送信されたパケットを第２ブルートゥース回路１２０が傍受する動作が順調であったことを意味し、第２ブルートゥース回路１２０が傍受したデータのスループット量が高かったことも意味する。逆に、第１制御回路１１７が取り漏らされたパケットを第１ブルートゥース通信回路１１１にて第２ブルートゥース通信回路１２１に伝送した頻度が高いほど、遠隔ブルートゥース装置１０２から送信されたパケットを第２ブルートゥース回路１２０が傍受する動作が順調ではなかったことを意味し、第２ブルートゥース回路１２０が傍受したデータのスループット量が低かったことも意味する。したがって、第１制御回路１１７は、取り漏らされたパケットを第１ブルートゥース通信回路１１１にて第２ブルートゥース通信回路１２１に伝送した頻度に基づき、第２ブルートゥース回路１２０が傍受したデータのスループット量を間接的に計算してもよい。
【０１０３】
次に、第１制御回路１１７は、ステップ４０８を行い、前記算出したデータスループット量を所定の臨界値と比較する。
【０１０４】
第１ブルートゥース回路１１０が算出したデータスループット量が該所定の臨界値を上回っている場合、これは遠隔ブルートゥース装置１０２から送信されたパケット量が正常の範囲にあり、且つ、第２ブルートゥース回路１２０がブルートゥース通信を行ったその時の無線信号環境が十分に良好であったことを意味する。この場合、第１ブルートゥース回路１１０は、第２ブルートゥース回路１２０の動作モードを調整することなく、前記ステップ５０２およびステップ４０８の動作を繰り返す。
【０１０５】
逆に、第１ブルートゥース回路１１０が算出したデータスループット量が該所定の臨界値を下回っている場合、これは第２ブルートゥース回路１２０がブルートゥース通信を行ったその時の無線信号環境が良好ではなかったこと、または、遠隔ブルートゥース装置１０２から送信されたパケット量が少なすぎたこと、ないしは、遠隔ブルートゥース装置１０２が休止モードであったことを意味する。この場合、マルチ構成要員型ブルートゥース装置１００は、前記図３のステップ３１６〜ステップ３２２と同様の動作を行えばよい。
【０１０６】
第１ブルートゥース回路１１０が算出したデータスループット量が前記所定の臨界値を下回っている場合のみ、つまり、第２ブルートゥース回路１２０のブルートゥース無線信号環境が良好でなくなった場合、遠隔ブルートゥース装置１０２から送信されたパケット量が少なすぎた場合、または、遠隔ブルートゥース装置１０２が休止モードであった場合に、第１ブルートゥース回路１１０は、第２ブルートゥース回路１２０に対し、動作モードを傍受モードから間接受信モードに切り替えさせるように指示する。この場合、第１ブルートゥース回路１１０は、遠隔ブルートゥース装置１０２から送信されてくる全てのパケットを第２ブルートゥース回路１２０に転送し、第２ブルートゥース回路１２０は、遠隔ブルートゥース装置１０２から送信されてくるパケットの傍受を停止する。これにより、第２ブルートゥース回路１２０の動作負荷、電力消費量、および発熱量を低減させることができる。さらに、第２ブルートゥース回路１２０の動作可能時間および待機可能期間を延長し、第２ブルートゥース回路１２０の使用寿命を延長し、および／または、第２ブルートゥース回路１２０のユーザ体験を改善することができる。前記構成では、第２ブルートゥース回路１２０を節電モード、休止モード、またはスリープモードに移行させることで、第２ブルートゥース回路１２０の電力消費量をさらに減少させることもできる。
【０１０７】
これと類似的に、マルチ構成要員型ブルートゥース装置１００は、上述した方式に照らし合わせ、第３ブルートゥース回路１３０が傍受したデータのスループット量に基づき、第３ブルートゥース回路１３０の動作モードを動的に切り替えさせることができる。
【０１０８】
したがって、前記図２および図５の動作態様を採用することにより、マルチ構成要員型ブルートゥース装置１００におけるブルートゥース主回路は、ブルートゥース副回路の動作モードを傍受モードから間接受信モードに動的に切り替えさせ、適応的にブルートゥース主回路とブルートゥース副回路との間の協働動作を変更させることができる。そのため、マルチ構成要員型ブルートゥース装置１００における複数のブルートゥース回路同士間で、負荷のバランス化、電力消費のバランス化、または発熱量のバランス化などの管理体制を実現することができる。したがって、マルチ構成要員型ブルートゥース装置１００全体上の動作能率を向上させ、ブルートゥース回路の使用寿命を延長し、または、ユーザ体験を改善することができる。
【０１０９】
図６は、本発明に係るマルチ構成要員型ブルートゥース装置１００の、第４実施例における動作態様の一部の簡略化フローチャートである。図６に記載の動作ステップは前記図２に記載の動作ステップと組み合わせてもよい。
【０１１０】
図６の実施例において、ブルートゥース主回路は、ブルートゥース副回路が傍受モードで動作する期間中に同様に断続的にステップ５０２を実行し、ブルートゥース副回路が傍受したパケットのデータスループット量を計算する。但し、本実施例におけるブルートゥース主回路は、ステップ５０２を実行した後、前記ステップ４０８を実行せずに、図６のステップ６０４を実行し、算出されたパケットのデータスループット量を、ブルートゥース副回路による判断に供するためにブルートゥース副回路に伝送する。
【０１１１】
例えば、第１ブルートゥース回路１１０は、ステップ５０２において、第２ブルートゥース回路１２０が傍受したデータのスループット量を算出した後、ステップ６０４を実行する。このとき、第１制御回路１１７は、算出されたデータスループット量を、第１ブルートゥース通信回路１１１を介して第２ブルートゥース回路１２０に伝送する。
【０１１２】
ステップ６０６において、第２ブルートゥース回路１２０は、第１ブルートゥース回路１１０から伝送されてきたデータスループット量を、第２ブルートゥース通信回路１２１を用いて受信する。
【０１１３】
次に、第２制御回路１２７は、前記ステップ３０４を実行し、第１ブルートゥース回路１１０が算出したデータスループット量を所定の臨界値と比較する。
【０１１４】
第１ブルートゥース回路１１０が算出したデータスループット量が該所定の臨界値を上回っている場合、これは遠隔ブルートゥース装置１０２から送信されたパケット量が正常範囲にあり、且つ、第２ブルートゥース回路１２０がブルートゥース通信を行ったその時の無線信号環境が十分に良好であったことを意味する。この場合、第２ブルートゥース回路１２０は、前記ステップ２０８およびステップ２１０の動作を繰り返す。
【０１１５】
逆に、第１ブルートゥース回路１１０が算出したデータスループット量が該所定の臨界値を下回っている場合、これは第２ブルートゥース回路１２０がブルートゥース通信を行ったその時の無線信号環境が良好ではなかったこと、または、遠隔ブルートゥース装置１０２から送信されたパケット量が少なすぎたこと、ないしは、遠隔ブルートゥース装置１０２が休止モードであったことを意味する。この場合、第２ブルートゥース回路１２０は、前記ステップ３０６を実行して第１モード切替要求を生成し、第２ブルートゥース通信回路１２１を介して、前記第１モード切替要求をブルートゥース主回路に伝送してもよい。
【０１１６】
その後、マルチ構成要員型ブルートゥース装置１００は、前記図３のステップ３０８〜ステップ３２２と同様の動作を行えばよい。
【０１１７】
前記図５の実施例と類似的に、第１ブルートゥース回路１１０が算出したデータスループット量が前記所定の臨界値を下回っている場合のみ、つまり、第２ブルートゥース回路１２０のブルートゥース無線信号環境が良好でなくなった場合、遠隔ブルートゥース装置１０２から送信されたパケット量が少なすぎた場合、または、遠隔ブルートゥース装置１０２が休止モードであった場合に、第１ブルートゥース回路１１０は、第２ブルートゥース回路１２０に対し、動作モードを傍受モードから間接受信モードに切り替えさせるように指示する。この場合、第１ブルートゥース回路１１０は、遠隔ブルートゥース装置１０２から送信されてくる全てのパケットを第２ブルートゥース回路１２０に転送し、第２ブルートゥース回路１２０は、遠隔ブルートゥース装置１０２から送信されてくるパケットの傍受を停止する。これにより、第２ブルートゥース回路１２０の動作負荷、電力消費量、および発熱量を低減させることができる。さらに、第２ブルートゥース回路１２０の動作可能時間および待機可能期間を延長し、第２ブルートゥース回路１２０の使用寿命を延長し、および／または、第２ブルートゥース回路１２０のユーザ体験を改善することができる。前記構成では、第２ブルートゥース回路１２０を節電モード、休止モード、またはスリープモードに移行させることで、第２ブルートゥース回路１２０の電力消費量をさらに減少させることもできる。
【０１１８】
これと類似的に、マルチ構成要員型ブルートゥース装置１００は、上述した方式に照らし合わせ、第３ブルートゥース回路１３０が傍受したデータのスループット量に基づき、第３ブルートゥース回路１３０の動作モードを動的に切り替えさせることができる。
【０１１９】
したがって、前記図２および図６の動作態様を採用することにより、マルチ構成要員型ブルートゥース装置１００におけるブルートゥース主回路は、ブルートゥース副回路の動作モードを傍受モードから間接受信モードに動的に切り替えさせ、適応的にブルートゥース主回路とブルートゥース副回路との間の協働動作を変更させることができる。そのため、マルチ構成要員型ブルートゥース装置１００における複数のブルートゥース回路同士間で、負荷のバランス化、電力消費のバランス化、または発熱量のバランス化などの管理体制を実現することができる。したがって、マルチ構成要員型ブルートゥース装置１００全体上の動作能率を向上させ、ブルートゥース回路の使用寿命を延長し、または、ユーザ体験を改善することができる。
【０１２０】
前記図２〜図６の実施例において、ブルートゥース副回路が傍受モードで動作する期間中、マルチ構成要員型ブルートゥース装置１００は、ブルートゥース副回路またはブルートゥース主回路によって算出されたデータスループット量に基づき、ブルートゥース副回路のブルートゥース無線信号環境が悪化したか否かを評価し、または、遠隔ブルートゥース装置１０２から送信されてくるパケット量が著しく減少したか否かを評価する。そして、評価の結果に基づき、ブルートゥース副回路の動作モードを傍受モードから間接受信モードに切り替えるべきか否かを決定する。ただし、これは単に一実施例であり、本発明の実際の実施形態を限定するものではない。実際の応用において、マルチ構成要員型ブルートゥース装置１００は、ブルートゥース副回路が間接受信モードで動作する期間中に、その時のブルートゥース無線信号環境の変化に応じて、ブルートゥース副回路の動作モードを切り替えるべきか否かを動的に判断してもよい。
【０１２１】
例えば、図７〜図８は、本発明に係るマルチ構成要員型ブルートゥース装置１００の、第５実施例における動作態様の簡略化フローチャートである。
【０１２２】
図７のように、マルチ構成要員型ブルートゥース装置１００は、まず、前記ステップ２０２を実行し、遠隔ブルートゥース装置１０２から送信されてくるパケットを受信するために必要なブルートゥース接続パラメータを取得する。なお、前記図２のステップ２０２の動作態様および変形実施例について説明した事項は、図７の実施例にも適用される。
【０１２３】
以下、説明の便宜上、マルチ構成要員型ブルートゥース装置１００において、遠隔ブルートゥース装置１０２から送信されてくるパケットの受信に関する主な処理を行う構成要員回路として、現在、第１ブルートゥース回路１１０が選出されており、残りの構成要員回路（例えば、前記第２ブルートゥース回路１２０および第３ブルートゥース回路１３０）がブルートゥース副回路の役割を担う、と仮定する。
【０１２４】
ステップ７０４において、第１ブルートゥース回路１１０は、この以降第１ブルートゥース回路１１０がブルートゥース主回路の役割を担う旨を、第１ブルートゥース通信回路１１１を介してマルチ構成要員型ブルートゥース装置１００における他の構成要員回路（例えば、前記第２ブルートゥース回路１２０および第３ブルートゥース回路１３０）に通知するとともに、当該他の構成要員回路に対し、ブルートゥース副回路の役割を担い且つ傍受モードで動作するように指示する。つまり、この以降、第１ブルートゥース回路１１０は、遠隔ブルートゥース装置１０２から送信されてくるパケットの受信に関する主な処理を行い、他の構成要員回路は、第１ブルートゥース回路１１０から転送されてくるパケットを受信してよいが、遠隔ブルートゥース装置１０２から送信されてくるパケットを傍受する必要がなく、且つ、当該他の構成要員回路から遠隔ブルートゥース装置１０２への、指令、データ、またはその他の関連パケットの伝送が許可されない。
【０１２５】
次に、ブルートゥース副回路が間接受信モードで動作する期間中、第１ブルートゥース回路１１０はステップ７０６を実行する。
【０１２６】
ステップ７０６において、第１ブルートゥース回路１１０の第１制御回路１１７は、遠隔ブルートゥース装置１０２から送信されてくるパケットを、第１ブルートゥース通信回路１１１を用いて受信してもよい。また、第１制御回路１１７は、遠隔ブルートゥース装置１０２から送信されてくるパケットを、第１ブルートゥース通信回路１１１を介して他のブルートゥース副回路に転送してもよい。例えば、第１制御回路１１７は、遠隔ブルートゥース装置１０２から送信されてくるパケットを、第１ブルートゥース通信回路１１１を介して第２ブルートゥース回路１２０に転送してもよい。
【０１２７】
動作する際、第１制御回路１１７は、ステップ２０２で取得したブルートゥース接続パラメータを用い、第１ブルートゥース通信回路１１１を介して遠隔ブルートゥース装置１０２とパケット伝送を行うことにより、遠隔ブルートゥース装置１０２から送信されてくる様々なパケットを受信するか、または、様々なパケットを遠隔ブルートゥース装置１０２に伝送してもよい。なお、前記ステップ２０２の動作について説明したように、第１ブルートゥース回路１１０が、遠隔ブルートゥース装置１０２とパケット伝送を行う際に用いるブルートゥース接続パラメータは、第１ブルートゥース回路１１０自身が取得したものであり得るし、他の構成要員回路（例えば、第２ブルートゥース回路１２０）から伝送されてきたものでもあり得る。
【０１２８】
上述したように、第１ブルートゥース回路１１０と遠隔ブルートゥース装置１０２との間において、適した様々なパケットハンドシェーク方式を用いることで、パケット取り漏らしのリスクを低減させ、または回避してもよい。
【０１２９】
ステップ７０８において、ブルートゥース副回路は、間接受信モードで動作し、第１ブルートゥース回路１１０から転送されてくるパケットを受信する。例えば、第２制御回路１２７は、第２ブルートゥース回路１２０を間接受信モードで動作させるように制御するとともに、第２ブルートゥース通信回路１２１を用いて、第１ブルートゥース回路１１０から転送されてくるパケットを受信する。上述したように、第２ブルートゥース回路１２０が間接受信モードで動作する期間中、第２制御回路１２７は、第２ブルートゥース通信回路１２１を用いて、遠隔ブルートゥース装置１０２から送信されてくるパケットを傍受することはしない。換言すれば、第２ブルートゥース回路１２０が間接受信モードで動作する期間中、第２ブルートゥース回路１２０は、第１ブルートゥース回路１１０を介して、遠隔ブルートゥース装置１０２から送信されてくるパケットを間接的に取得する。
【０１３０】
図７のように、ブルートゥース副回路は、傍受モードで動作する期間中、断続的にステップ７１０を実行し、自身のブルートゥース通信回路の信号受信状況に対応する受信品質の指標（signal reception quality indicator）を計算する。例えば、第２ブルートゥース回路１２０の第２制御回路１２７は、ステップ７１０において、第２ブルートゥース通信回路１２１のその時のブルートゥース信号の受信状況を評価し、対応する受信品質の指標を計算してもよい。実際の応用において、前記受信品質の指標は、パケット誤り率（packet error rate，PER）、ビット誤り率（bit error rate，BER）、信号受信強度（signal reception strength）、サービス品質（quality of service，QoS）、または、第２ブルートゥース通信回路１２１のその時のブルートゥース信号の受信状況を示す他の指標値によって実現できる。
【０１３１】
次に、第２制御回路１２７は、ステップ７１２を実行し、前記受信品質の指標を所定の指標値と比較する。
【０１３２】
第２制御回路１２７が算出した受信品質の指標が該所定の指標値より悪い場合、これは第２ブルートゥース回路１２０がブルートゥース通信を行ったその時の無線信号環境が良好ではなかったことを意味する。この場合、第２ブルートゥース回路１２０は、引き続き間接受信モードで動作し、前記ステップ７０８〜ステップ７１２の動作を繰り返してもよい。
【０１３３】
逆に、第２制御回路１２７が算出した受信品質の指標が該所定の指標値より優れる場合、これは第２ブルートゥース回路１２０がブルートゥース通信を行ったその時の無線信号環境が十分に良好であったことを意味する。この場合、第２ブルートゥース回路１２０はステップ７１４を実行してもよい。
【０１３４】
ステップ７１４において、第２制御回路１２７は第２モード切替要求を生成し、第２ブルートゥース通信回路１２１を介して、第２モード切替要求をブルートゥース主回路に伝送する。前記第２モード切替要求は、第２ブルートゥース回路１２０における間接受信モードから傍受モードへの切り替えの許可をブルートゥース主回路に要求するためのものである。実際の応用において、該第２モード切替要求は、適した様々なデータ形式によって実現され得る。
【０１３５】
ステップ７１６において、第１ブルートゥース回路１１０は、第２ブルートゥース回路１２０から伝送されてきた第２モード切替要求を、第１ブルートゥース通信回路１１１を介して受信する。
【０１３６】
ステップ７１８において、第１ブルートゥース回路１１０の第１制御回路１１７は、第２ブルートゥース回路１２０の動作モードの切り替えを許可すべきか否かを判断する。本実施例において、第１制御回路１１７は、前記第２モード切替要求を受信した後、第２ブルートゥース回路１２０の動作モードの切り替えを許可すべきか否かを、所定の規則に基づいて判断するとともに、判断の結果に基づき、対応する後続ステップの処理を行う。第１制御回路１１７は、判断した結果、第２ブルートゥース回路１２０の動作モードの切り替えを許可しないと決定した場合、図８のステップ８０２を実行する。逆に、第１制御回路１１７は、判断した結果、第２ブルートゥース回路１２０の動作モードの切り替えを許可すると決定した場合、図８のステップ８０６を実行する。
【０１３７】
第１ブルートゥース回路１１０が第２ブルートゥース回路１２０の動作モードの切り替えを許可した後、第２ブルートゥース回路１２０は、間接受信モードから傍受モードに切り替えることができる。その後、第２ブルートゥース回路１２０が、遠隔ブルートゥース装置１０２から送信されてくるパケットを自発的に傍受するため、第１ブルートゥース回路１１０が、遠隔ブルートゥース装置１０２から送信されてきたパケットを第２ブルートゥース回路１２０に転送する必要はなくなる。このようにして、第２ブルートゥース回路１２０の演算負荷、電力消費または発熱量が増加する可能性があるが、第１ブルートゥース回路１１０と第２ブルートゥース回路１２０との間のデータ伝送に必要な帯域幅要求を緩和させるとともに、第１ブルートゥース回路１１０の演算負荷、電力消費または発熱量を低減させることができる。
【０１３８】
したがって、第１制御回路１１７は、前記第２モード切替要求を受信すると、受信時点で第２ブルートゥース回路１２０の動作モードの切り替えに不都合な要因が存在するか否かを確認し、存在しない場合には第２ブルートゥース回路１２０の動作モードの切り替えを許可してもよい。例えば、第１制御回路１１７は、現在、第２ブルートゥース回路１２０の演算負荷が所定レベルを下回っている場合、残電が所定閾値を上回っている場合、および／または、温度が所定温度を下回っている場合に、第２ブルートゥース回路１２０の動作モードの切り替えを許可してもよい。また、例えば、第１制御回路１１７は、現在、第１ブルートゥース回路１１０の演算負荷が所定レベルを上回っている場合、残電が所定閾値を下回っている場合、および／または、温度が所定温度を上回っている場合に、第２ブルートゥース回路１２０の動作モードの切り替えを許可してもよい。
【０１３９】
ステップ８０２において、第１制御回路１１７は、第２ブルートゥース回路１２０の動作モードの切り替えが第１ブルートゥース回路１１０に許可されないという旨を示す拒否メッセージを生成し、第１ブルートゥース通信回路１１１を介して該拒否メッセージを第２ブルートゥース回路１２０に伝送してもよい。
【０１４０】
ステップ８０４において、第２ブルートゥース回路１２０は、第２ブルートゥース通信回路１２１を介し、第１ブルートゥース回路１１０から伝送されてきた拒否メッセージを受信してもよい。この場合、第２制御回路１２７は、該拒否メッセージの指示に基づき、第２ブルートゥース回路１２０を、引き続き間接受信モードで動作するとともに前記ステップ７０８〜７１２の動作を繰り返すよう、制御してもよい。
【０１４１】
ステップ８０６において、第１ブルートゥース回路１１０の第１制御回路１１７は、第２ブルートゥース回路１２０に対して間接受信モードから傍受モードに切り替えさせるように指示するための第２モード切替指示を生成し、第１ブルートゥース通信回路１１１を介して該第２モード切替指示を第２ブルートゥース回路１２０に伝送する。
【０１４２】
ステップ８０８において、第２ブルートゥース通信回路１２１は、第１ブルートゥース回路１１０から伝送されてきた第２モード切替指示を受信し、第２制御回路１２７は、該第２モード切替指示に基づき、第２ブルートゥース回路１２０の動作モードを間接受信モードから傍受モードに切り替える。
【０１４３】
次に、第１ブルートゥース回路１１０はステップ８１０を実行し、第２ブルートゥース回路１２０はステップ８１２を実行する。
【０１４４】
ステップ８１０において、第１ブルートゥース回路１１０の第１制御回路１１７は、第１ブルートゥース通信回路１１１を用いて、遠隔ブルートゥース装置１０２から伝送されてくるパケットを受信する。但し、第１制御回路１１７は、第１ブルートゥース通信回路１１１を介して、遠隔ブルートゥース装置１０２から伝送されてくるパケットを第２ブルートゥース回路１２０に転送することはしない。
【０１４５】
ステップ８１２において、第２ブルートゥース回路１２０の第２制御回路１２７は、ステップ２０２で得られたブルートゥース接続パラメータに基づき、第２ブルートゥース通信回路１２１を用いて、遠隔ブルートゥース装置１０２から送信されてくるパケットを傍受してもよい。一実施例において、第２ブルートゥース通信回路１２１は、遠隔ブルートゥース装置１０２から送信されてくる全てのブルートゥースパケットを傍受してもよい。別の一実施例において、第２ブルートゥース通信回路１２１は、遠隔ブルートゥース装置１０２からマルチ構成要員型ブルートゥース装置１００以外の装置に伝送されるべきブルートゥースパケットを傍受することなく、遠隔ブルートゥース装置１０２から第１ブルートゥース回路１１０に伝送されるべきブルートゥースパケットのみを傍受する。前記ステップ２０２について説明したように、第２ブルートゥース通信回路１２１が遠隔ブルートゥース装置１０２から送信されてくるパケットを傍受する際に用いるブルートゥース接続パラメータは、第２ブルートゥース回路１２０自身が取得したもので有り得るし、他の構成要員回路（例えば、第１ブルートゥース回路１１０）から伝送されてきたものでもあり得る。
【０１４６】
この以降、マルチ構成要員型ブルートゥース装置１００は、前記図２のステップ２１０〜ステップ２１６と同様な動作を実行してもよい。
【０１４７】
なお、前記第１制御回路１１７がステップ７１８の判断処理を行い、且つ、第２ブルートゥース回路１２０の動作モードの切り替え後を許可すべきと判定した後にステップ８０６を実行する動作態様は、単に一実施例であり、本発明の実際の実施形態を限定するものではない。実際の応用において、第１制御回路１１７は、前記第２モード切替要求を受信した後、前記ステップ７１８の判断処理を飛ばして直接にステップ８０６を実行してもよい。
【０１４８】
上述したように、ブルートゥース副回路の役割を担う第２ブルートゥース回路１２０は、間接受信モードで動作する期間中、第２ブルートゥース通信回路１２１に対応付けられた受信品質の指標と、所定の指標値との比較を断続的に行うことにより、その時の第２ブルートゥース通信回路１２１のブルートゥース信号の受信条件が明らかに改善されたかどうかを評価する。第２ブルートゥース通信回路１２１の受信品質の指標が前記所定の指標値より悪い場合、つまり、第２ブルートゥース回路１２０がブルートゥース通信を行ったその時の無線信号環境が良好ではなかった場合、ブルートゥース主回路の役割を担う第１ブルートゥース回路１１０は、第２ブルートゥース回路１２０に対して傍受モードに切り替えさせるように指示することはしない。これにより、第２ブルートゥース回路１２０が演算資源および電力を低効率のパケット傍受動作に無駄に投入することが避けられる。
【０１４９】
第２ブルートゥース通信回路１２１の受信品質の指標が前記所定の指標値より優れる場合のみ、つまり、第２ブルートゥース回路１２０のブルートゥース無線信号環境が十分に良好になった場合、第１ブルートゥース回路１１０は、第２ブルートゥース回路１２０に対し、動作モードを間接受信モードから傍受モードに切り替えさせるように指示する。この場合、第１ブルートゥース回路１１０は、遠隔ブルートゥース装置１０２から送信されてくる全てのパケットを第２ブルートゥース回路１２０に転送する必要がなく、第２ブルートゥース回路１２０の取り漏らしたパケットを第２ブルートゥース回路１２０に伝送すれば済む。したがって、第１ブルートゥース回路１１０の動作負荷、電力消費量、および発熱量を低減させ、さらに、第１ブルートゥース回路１１０の動作可能時間および待機可能期間を延ばし、第１ブルートゥース回路１１０と第２ブルートゥース回路１２０との間のデータ伝送に必要な帯域幅要求を緩和させることができる。
【０１５０】
これと類似的に、マルチ構成要員型ブルートゥース装置１００は、上述した方式に照らし合わせ、第３ブルートゥース回路１３０が傍受したデータのスループット量に基づき、第３ブルートゥース回路１３０の動作モードを動的に切り替えることができる。
【０１５１】
したがって、前記図７および図８の動作態様を採用することにより、マルチ構成要員型ブルートゥース装置１００におけるブルートゥース主回路は、ブルートゥース副回路の動作モードを間接受信モードから傍受モードに動的に切り替えさせ、適応的にブルートゥース主回路とブルートゥース副回路との間の協働動作を変更させることできる。そのため、マルチ構成要員型ブルートゥース装置１００における複数のブルートゥース回路同士間で、負荷のバランス化、電力消費のバランス化、または発熱量のバランス化などの管理体制を実現することができる。したがって、マルチ構成要員型ブルートゥース装置１００全体上の動作能率を向上させ、ブルートゥース回路の使用寿命を延長し、または、ユーザ体験を改善することができる。
【０１５２】
図９〜図１０は、本発明に係るマルチ構成要員型ブルートゥース装置１００の、第６実施例における動作態様の簡略化フローチャートである。
【０１５３】
図９および図１０の実施例において、ブルートゥース副回路は、間接受信モードで動作する期間中に同様にステップ７１０の処理を断続的に行い、自身のブルートゥース通信回路の信号受信状況に対応する受信品質の指標を計算する。但し、本実施例におけるブルートゥース副回路は、ステップ７１０を実行した後、前記ステップ７１２を実行せずに、図９のステップ９１２を実行し、自身が算出した受信品質の指標をブルートゥース主回路に伝送する。
【０１５４】
例えば、第２ブルートゥース回路１２０はステップ７１０において前記受信品質の指標を算出した後、ステップ９１２を実行する。このとき、第２制御回路１２７は、第２ブルートゥース通信回路１２１を介して、受信品質の指標を第１ブルートゥース回路１１０に伝送する。
【０１５５】
ステップ９１４において、第１ブルートゥース回路１１０は第１ブルートゥース通信回路１１１を用いて、第２ブルートゥース回路１２０から伝送されてきた受信品質の指標を受信する。
【０１５６】
次に、第１制御回路１１７はステップ９１６を実行し、第２ブルートゥース回路１２０が算出した受信品質の指標を所定の指標値と比較する。
【０１５７】
第２制御回路１２７が算出した受信品質の指標が該所定の指標値より悪い場合、これは第２ブルートゥース回路１２０がブルートゥース通信を行ったその時の無線信号環境が良好ではなかったことを意味する。この場合、第１ブルートゥース回路１１０は図１０のステップ８０２を実行してもよい。
【０１５８】
逆に、第２制御回路１２７が算出した受信品質の指標が該所定の指標値より優れる場合、これは第２ブルートゥース回路１２０がブルートゥース通信を行ったその時の無線信号環境が十分に良好であったことを意味する。この場合、第１ブルートゥース回路１１０は図１０のステップ８０６を実行してもよい。
【０１５９】
ステップ８０６において、第１制御回路１１７は、第２ブルートゥース回路１２０に対して間接受信モードから傍受モードに切り替えさせるように指示するための第２モード切替指示を生成し、第１ブルートゥース通信回路１１１を介して、第２モード切替指示を第２ブルートゥース回路１２０に伝送する。
【０１６０】
ステップ８０８において、第２ブルートゥース通信回路１２１は、第１ブルートゥース回路１１０から伝送されてきた第２モード切替指示を受信し、第２制御回路１２７は、該第２モード切替指示に基づき、第２ブルートゥース回路１２０の動作モードを間接受信モードから傍受モードに切り替える。
【０１６１】
次に、第１ブルートゥース回路１１０はステップ８１０を実行し、第２ブルートゥース回路１２０はステップ８１２を実行する。
【０１６２】
ステップ８１０において、第１制御回路１１７は、第１ブルートゥース通信回路１１１を用いて、遠隔ブルートゥース装置１０２から伝送されてくるパケットを受信する。但し、第１制御回路１１７は、第１ブルートゥース通信回路１１１を介して、遠隔ブルートゥース装置１０２から伝送されてくるパケットを第２ブルートゥース回路１２０に転送することはしない。
【０１６３】
ステップ８１２において、第２制御回路１２７は、ステップ２０２で得られたブルートゥース接続パラメータに基づき、第２ブルートゥース通信回路１２１を用いて、遠隔ブルートゥース装置１０２から送信されてくるパケットを傍受してもよい。
【０１６４】
その後、マルチ構成要員型ブルートゥース装置１００は、前記図２のステップ２１０〜ステップ２１６と同様の動作を行えばよい。
【０１６５】
図１０のいくつかのステップが前記図８の実施例と同様であるため、前記図８中の当該ステップの動作態様および変形実施例について説明した事項は、図１０の実施例にも適用される。
【０１６６】
上述したように、本実施例の第１ブルートゥース回路１１０は、第２ブルートゥース回路１２０が間接受信モードで動作する期間中、第２ブルートゥース通信回路１２１に対応付けられた受信品質の指標と、所定の指標値との比較を断続的に行うことにより、その時の第２ブルートゥース通信回路１２１のブルートゥース信号の受信条件が明らかに改善されたかどうかを評価する。第２ブルートゥース通信回路１２１の受信品質の指標が前記所定の指標値より悪い場合、つまり、第２ブルートゥース回路１２０がブルートゥース通信を行ったその時の無線信号環境が良好ではなかった場合、ブルートゥース主回路の役割を担う第１ブルートゥース回路１１０は、第２ブルートゥース回路１２０に対して傍受モードに切り替えさせるように指示することはしない。これにより、第２ブルートゥース回路１２０が演算資源および電力を低効率のパケット傍受動作に無駄に投入することが避けられる。
【０１６７】
第２ブルートゥース通信回路１２１の受信品質の指標が前記所定の指標値より優れる場合のみ、つまり、第２ブルートゥース回路１２０のブルートゥース無線信号環境が十分に良好になった場合、第１ブルートゥース回路１１０は、第２ブルートゥース回路１２０に対し、動作モードを間接受信モードから傍受モードに切り替えさせるように指示する。この場合、第１ブルートゥース回路１１０は、遠隔ブルートゥース装置１０２から送信されてくる全てのパケットを第２ブルートゥース回路１２０に転送する必要がなく、第２ブルートゥース回路１２０の取り漏らしたパケットを第２ブルートゥース回路１２０に伝送すれば済む。したがって、第１ブルートゥース回路１１０の動作負荷、電力消費量、および発熱量を低減させ、さらに、第１ブルートゥース回路１１０の動作時間および待機可能期間を延長し、第１ブルートゥース回路１１０と第２ブルートゥース回路１２０との間のデータ伝送に必要な帯域幅要求を緩和させることができる。
【０１６８】
これと類似的に、マルチ構成要員型ブルートゥース装置１００は、上述した方式に照らし合わせ、第３ブルートゥース回路１３０が傍受したデータのスループット量に基づき、第３ブルートゥース回路１３０の動作モードを動的に切り替えることができる。
【０１６９】
したがって、前記図９および図１０の動作態様を採用することにより、マルチ構成要員型ブルートゥース装置１００におけるブルートゥース主回路は、ブルートゥース副回路の動作モードを間接受信モードから傍受モードに動的に切り替えさせ、適応的にブルートゥース主回路とブルートゥース副回路との間の協働動作を変更させることができる。そのため、マルチ構成要員型ブルートゥース装置１００における複数のブルートゥース回路同士間で、負荷のバランス化、電力消費のバランス化、または発熱量のバランス化などの管理体制を実現することができる。したがって、マルチ構成要員型ブルートゥース装置１００全体上の動作能率を向上させ、ブルートゥース回路の使用寿命を延長し、または、ユーザ体験を改善することができる。
【０１７０】
なお、上述した各実施例におけるマルチ構成要員型ブルートゥース装置１００の構成要員回路の数量は、２つにまで減らしてもよく、回路の適用上の実際の需要に応じて増やしてもよい。
【０１７１】
明細書および添付される特許請求の範囲には特定の素子を指す特定の用語が用いられているが、当業者よっては、異なる用語で当該同一素子を呼称する場合がある。本明細書および添付される特許請求の範囲は、名称の相違を以って素子を区別するのではなく、機能上の相違を素子の区別基準とする。また、明細書および添付の特許請求の範囲に記載の「含む」とは、開放的表現であり、「含むが、これに限定されない」と解釈すべきである。また、「結合的に接続する」という表現は、直接的および間接的な、いかなる接続手段も含む。したがって、たとえば「第１素子が第２素子と結合的に接続する」のような表現は、第１素子が電気的接続または無線伝送、光学的伝送などの信号接続方式にて直接に第２素子と接続してもよく、他の素子または接続手段を介して間接的に第２素子と電気的または信号的に接続してもよいことを意味する。
【０１７２】
明細書中に記載の「および／または」という表現は、挙げられた事項のうちの１つ、または複数の事項による任意の組み合わせを含む。また、明細書中において特別に明示しない限り、単数形の用語はその複数形時の含意を同時に含む。
【０１７３】
以上の内容は単に本発明の好ましい実施例に過ぎない。本発明に係る特許請求の範囲に基づいて成される均等的な変更および改変の全てが、本発明の範囲に含まれる。
【符号の説明】
【０１７４】
１００  マルチ構成要員型ブルートゥース装置（multi-member Bluetooth device）
１０２  遠隔ブルートゥース装置（remote Bluetooth device）
１１０  第１ブルートゥース回路（first Bluetooth circuit）
１１１  第１ブルートゥース通信回路（first Bluetooth communication circuit）
１１３  第１パケット分析回路（first packet parsing circuit）
１１５  第１クロック同期回路（first clock synchronizing circuit）
１１７  第１制御回路（first control circuit）
１２０  第２ブルートゥース回路（second Bluetooth circuit）
１２１  第２ブルートゥース通信回路（second Bluetooth communication circuit）
１２３  第２パケット分析回路（second packet parsing circuit）
１２５  第２クロック同期回路（second clock synchronizing circuit）
１２７  第２制御回路（second control circuit）
１３０  第３ブルートゥース回路（third Bluetooth circuit）
【図１】
0006960030.tif 000002
【図２】
0006960030.tif 000003
【図３】
0006960030.tif 000004
【図４】
0006960030.tif 000005
【図５】
0006960030.tif 000006
【図６】
0006960030.tif 000007
【図７】
0006960030.tif 000008
【図８】
0006960030.tif 000009
【図９】
0006960030.tif 000010
【図１０】
0006960030.tif 000011